(57)【特許請求の範囲】
【請求項１】
机等の後部側の左右の脚柱の対向面間に取付けられる幕板の取付構造であって、
左右方向に離間した前後１対ずつの脚柱間に側板を、後部の脚柱間に幕板を配置し、前記側板の上下の端面に設けた上方及び下方の押えプレートを前後の各脚柱に固定して前記両側板の上下方向の移動を阻止し、前記脚柱の対向面に、上下方向を向く係合溝とその奥部にあり溝を形成し、このあり溝に、前記幕板の左右の側端面に固着した係止金具における係合鍔部を、上下に摺動可能に係合するとともに、幕板の上端部を、脚柱の上端に取付けた天板に固着し、かつ幕板の下端部に一体に形成した固定片を、左右の脚柱の下端に取付けた前記押えプレートに固着したことを特徴とする机等の幕板の取付構造。
【請求項２】
幕板を、左右の側端面に係止金具を有する中央幕板と、この中央幕板の上部に固着され、上端に天板に固定可能な取付部を有する上部幕板と、前記中央幕板の下部に固着され、下部左右端に左右の脚柱への取付部を有する下部幕板とよりなるものとした請求項１に記載の机等の幕板の取付構造。
【請求項３】
上部幕板と下部幕板との左右の端部に、脚柱に形成した係合溝の内面に当接可能な支持片を連設した請求項２に記載の机等の幕板の取付構造。
【発明の詳細な説明】
【０００１】
【発明の属する技術分野】
本発明は、例えば机やカウンタ等の幕板の取付構造に関する。
【０００２】
【従来の技術】
この種の幕板の従来の取付構造としては、例えば実開平６−７７５６３号公報に開示されているものがある。
【０００３】
【発明が解決しようとする課題】
上記従来の幕板の取付構造は、机の後端の両支柱の対向面奥部にあり溝を形成するとともに、幕板の側端面の上下部に、上記あり溝に係合可能な拡幅部を有する係止金具を取付け、この係止金具の拡幅部をあり溝に係合させるようにして、幕板を上方より下降させて両支柱間に取付けるものである。
【０００４】
この従来の取付構造では、幕板はその両側端面のみが支柱に固定されているため、意匠的に幕板を上下に分割し、かつ薄肉の幕板と組合わせて使用した場合、あるいは、上下長の長いハイカウンタ等の幕板の場合に十分な取付強度が得られず、机やハイカウンタ等の強度も低下する問題がある。
【０００５】
本発明は、上記問題点を解決するためになされたもので、幕板を分割したり、上下寸法の長い幕板等であっても、これを強固に取付けることにより、机等の強度を高めることができるようにした机等の幕板の取付構造を提供することを目的とする。
【０００６】
【課題を解決するための手段】
上記目的を達成するために、本発明の幕板の取付構造は、机等の後部側の左右の脚柱の対向面間に取付けられる幕板の取付構造であって、
左右方向に離間した前後１対ずつの脚柱間に側板を、後部の脚柱間に幕板を配置し、前記側板の上下の端面に設けた上方及び下方の押えプレートを前後の各脚柱に固定して前記両側板の上下方向の移動を阻止し、前記脚柱の対向面に、上下方向を向く係合溝とその奥部にあり溝を形成し、このあり溝に、前記幕板の左右の側端面に固着した係止金具における係合鍔部を、上下に摺動可能に係合するとともに、幕板の上端部を、脚柱の上端に取付けた天板に固着し、かつ幕板の下端部に一体に形成した固定片を、左右の脚柱の下端に取付けた前記押えプレートに固着したことを特徴としている。
上記構成の本発明によると、幕板の左右の端面は、係止金具を介して左右の脚柱により係止保持されるとともに、上端は天板に、かつ下端部は左右の脚柱にそれぞれ固着されているため、幕板の上下長が長くても、その取付強度は大きく、机やハイカウンタ等の強度を低下させる恐れはない。また、固定片を幕板に連設することによって幕板の取付強度はより高まり、側板の移動を阻止する押えプレートによって幕板の上方への移動を阻止できる。
【０００７】
上記幕板の取付構造において、幕板を、左右の側端面に係止金具を有する中央幕板と、この中央幕板の上部に固着され、上端に天板に固定可能な取付部を有する上部幕板と、前記中央幕板の下部に固着され、下部左右端に左右の脚柱への取付部を有する下部幕板とよりなるものとするのが好ましい。
このようにすると、幕板を意匠的に３分割構造としても、個々の幕板同士は互いに結合され、かつ脚柱や天板にも固定されているので、机等の強度を低下させる恐れはない。
【０００８】
上記机等の幕板の取付構造において、上部幕板と下部幕板との左右の端部に、脚柱に形成した係合溝の内面に当接可能な支持片を連設するのが好ましい。
このようにすると、上下の幕板の左右の端部も係合溝により保持されるので、それらの前後方向の曲げ強度が大となり、幕板を薄肉とした際でも、机等の強度を低下させることはない。
【０００９】
【発明の実施の形態】
以下、本発明の実施例を図面に基づいて説明する。
【００１０】
図１ないし図５は、本発明をハイカウンタに適用した例を示すもので、ハイカウンタ１は、図１及び図３に示すように、左右方向に所定寸法離間する前後（以下、方向は図３の上方を前として説明する）１対ずつの脚柱２，３と、前後に並ぶ脚柱２，３間に設けられた左右１対の側板４と、後部の脚柱３間に設けられた幕板５と、各４本の脚柱４の上端に設けられた天板６とを有している。
【００１１】
側板４は、その前後の端面に形成した上下方向を向く凹溝４ａを、前後の脚柱２，３の対向面の突条２ａ，３ａに嵌合させたのち、図５に示すように、前後の各脚柱２，３の上下の端面に、押えプレート７，８をビス９により固定することにより、上下方向に移動するのが阻止されている。
【００１２】
幕板５は、図５に示すように、厚肉の中央幕板５ａと、上下長の短い薄肉パネル条の上部幕板５ｂと、これにより上下長の長い薄肉パネル状の下部幕板５ｃとよりなり、上下の幕板５ｂ，５ｃは、それぞれ下端部と上端部が中央幕板５ａの前面に複数のビス１０により固定されている。
【００１３】
上部幕板５ｂの上端には、前方を向く取付片１１が連設され、この取付片１１は、天板６の下面にねじ止めされる。
【００１４】
上部幕板５ｂにおける左右の端縁の上半部と、下部幕板５ｃにおける左右の端縁の下半部とには、それぞれ左右の脚柱３に向かって斜後方を向くとともに、先端部を中央幕板５ａの後面と平行をなすように外向きに折曲した支持片１２，１３が連設されている。
【００１５】
上記各支持片１２，１３の先端部は、後部側の脚柱３における左右方向の対向面に上下方向を向いて形成された係合溝１４内に挿入されて、その後面と当接するようになっている。
【００１６】
下部幕板５ｃは、係合溝１４の下端において、支持片１３の下端に前向きとして折曲された固定片１３ａ（図５参照）を、下方の押えプレート８の上面にビス１５により固定することにより、上方への移動が阻止されている。
【００１７】
中央幕板５ａの左右の側端面には、図２〜図４に示すように、上下方向の中央部に、前後方向に拡幅した係合鍔部１６ａを有する上下１対の係止金具１６がねじ止めされている。この係止金具１６の係合鍔部１６ａは、後部の脚柱３における係合溝１４の奥部に形成された上下方向を向くあり溝１７内に、上下に摺動可能として係合されるようになっている。
【００１８】
上記実施例において、ハイカウンタ１を組立てるには、まず中央幕板５ａに上下の幕板５ｂ，５ｃを取付けて、上下に長い幕板５を一体的に形成する。
【００１９】
ついで、前後の各脚柱２，３の下端に、下部の押えプレート８を固定したのち、前後の脚柱２，３間に側板４を上方より挿入する。
【００２０】
ついで、後部の脚柱３の各係合溝１４内に、上記一体に組付けた幕板５を上方より挿入し、中央幕板５ａの係止金具１６の係合鍔部１６ａをあり溝１７に係合させるとともに、上下の幕板５ｂ，５ｃの支持片１２，１３の先端部を係合溝１４内の後面に当接させる。
【００２１】
ついで、下部幕板５ｃの固定片１３ａを下部の押えブレート８にねじ止めした後、前後の各脚柱２，３の上端に上部の押えプレート７をねじ止めし、その上面に天板６を載置して下方よりねじ止めするとともに、その天板６の下面に上部幕板５ｂの取付片１１を固定すれば、ハイカウンタ１の組立ては終了する。
【００２２】
ハイカウンタ１の組立て後において、上下に３分割構造とした幕板５は、強固に取付けられ、ハイカウンタ１自体の強度も高まる。
【００２３】
すなわち、厚肉の中央幕板５ａは、その両側端が係止金具１６により脚柱３に強固に係止されており、また、上下の幕板５ｂ、５ｃは、それらの上下の端部が中央幕板５ａの前面にねじ止めされ、かつ上部幕板５ｂの上端は天板６に、下部幕板５ｃの下端は下部の押えプレート８に、それぞれ固定されているためである。
【００２４】
さらに、上下の幕板５ｂ、５ｃに支持片１２，１３を連設し、これらを脚柱３の係合溝１４に挿入して、その後面に当接させているため、それらの後方への曲げ強度も高く、ハイカウンタ１の強度はより高まる。
【００２５】
なお、上記実施例では、幕板５を３分割構造としているが、一体構造としても良い。この際には、幕板の上端を天板６に、かつ下端の左右両側部を下部の押えプレート８に固着すれば良い。
【００２６】
【発明の効果】
本発明によれば、次のような効果が得られる。
【００２７】
（ａ）請求項１に記載の発明によれば、幕板は、その左右の側端面、上端及び下端が脚柱や天板に固定されているので、たとえ上下長が長くても、その取付強度は大きく、従って机やハイカウンタ等も十分な強度を有するようになる。また、固定片を幕板に連設することによって幕板の取付強度はより高まり、側板の移動を阻止する押えプレートによって幕板の上方への移動を阻止できる。
【００２８】
（ｂ）請求項２に記載の発明によれば、例えば意匠等に配慮して、幕板を３分割構造としても、個々の幕板同士は互いに結合され、かつ脚柱や天板にも固定されているため、机等の強度を低下させる恐れはない。
【００２９】
（ｃ）請求項３に記載の発明によれば、上下の幕板の左右の端部も係合溝内に保持されるので、それらの前後方向の曲げ強度が大となり、幕板を薄肉パネル状とした際でも、机等の強度を低下させることはない。
【００３０】
【図面の簡単な説明】
【図１】本発明を適用したハイカウンタの背面図である。
【図２】中央幕板における係止金具が取付けられた側端面の拡大側面図である。
【図３】図１のIII−III線の拡大横断平面図である。
【図４】同じく、IV−IV線の拡大横断平面図である。
【図５】幕板の右方の端部の取付例を示す分解斜視図である。
【符号の説明】
１          ハイカウンタ
２、３      脚柱
２ａ、３ａ  突条
４          側板
４ａ        凹溝
５          幕板
５ａ        中央幕板
５ｂ        上部幕板
５ｃ        下部幕板
６          天板
７、８      押えプレート
９、１０    ビス
１１        取付片
１２、１３  支持片
１３ａ      固定片
１４        係合溝
１５        ビス
１６        係合金具
１６ａ      係合鍔部
１７        あり溝
【図１】
0003992861.tif 000002
【図２】
0003992861.tif 000003
【図３】
0003992861.tif 000004
【図４】
0003992861.tif 000005
【図５】
0003992861.tif 000006